(57)【要約】【課題】送風装置のファン発熱を低減させるとともに送風装置の放熱効果を高めることができ、ＬＥＤ特性の向上及び送風装置のファン寿命の向上を図ることのできる照明装置及び照明装置用送風ユニットを提供することを目的とする。【解決手段】ヒートシンク１３０に設けられ、複数の送風装置１４０ａ、１４０ｂ、１４０ｃを互いに仕切る第１の仕切板１３５を備え、複数の送風装置１４０ａ、１４０ｂ、１４０ｃの各々の排気口が、第１の仕切板１３５で仕切られた各々の空間に設けられた構成にする。【選択図】図７
2013171695.tif 000002
【特許請求の範囲】
【請求項１】
ＬＥＤと、
前記ＬＥＤの熱を放熱するヒートシンクと、
前記ヒートシンクに設けられた複数の送風装置と、
前記ヒートシンクに設けられ、前記複数の送風装置を互いに仕切る第１の仕切板と、
を備え、
前記複数の送風装置の各々の排気口が、前記第１の仕切板で仕切られた各々の空間に設けられたことを特徴とする照明装置。
【請求項２】
前記複数の送風装置の吸気部と排気部とを仕切る第２の仕切板を設けたことを特徴とする請求項１記載の照明装置。
【請求項３】
前記第２の仕切板は、前記ヒートシンクの外側端を、排気部と吸気部に仕切ることを特徴とする請求項２記載の照明装置。
【請求項４】
前記吸気部に設けた放熱フィンの高さの最大値をＨ１、前記排気部に設けた放熱フィンの高さの最大値をＨ２、前記送風装置の高さの最大値をＨ３としたとき、Ｈ１＞Ｈ３≧Ｈ２であることを特徴とする請求項３記載の照明装置。
【請求項５】
前記送風装置の数が３個以上であって、前記第１の仕切板で囲まれた空間を設けたことを特徴とする請求項１記載の照明装置。
【請求項６】
前記複数の送風装置はそれぞれ同一形状の送風装置でありかつ略同一平面上に設けられたことを特徴とする請求項１記載の照明装置。
【請求項７】
ＬＥＤの熱を放熱するヒートシンクと、
前記ヒートシンクに設けられた複数の送風装置と、
前記ヒートシンクに設けられ、前記複数の送風装置を互いに仕切る第１の仕切板と、
を備え、
前記複数の送風装置の各々の排気口が、前記第１の仕切板で仕切られた各々の空間に設けられたことを特徴とする照明装置用送風ユニット。
【発明の詳細な説明】
【技術分野】
【０００１】
本発明は、送風装置を備える照明装置及び照明装置用送風ユニットに関する。
【背景技術】
【０００２】
近年、白熱電球に代わる照明装置としてＬＥＤ（Ｌｉｇｈｔ  Ｅｍｉｔｔｉｎｇ  Ｄｉｏｄｅ）電球が種々開発されている。これらのＬＥＤ電球には、複数のＬＥＤが使用されるため、発熱量が多い。そのため、ＬＥＤによる発熱を効率よく放熱することが強く求められている。
【０００３】
特許文献１には、ＬＥＤ電球の内部に冷却ファンを取り付けて強制的に放熱することにより、放熱効率を向上するＬＥＤ電球が記載されている。特許文献１記載のＬＥＤ電球は、内部に搭載された冷却ファンによりＬＥＤ電球の斜め下方または横より外気を吸気し、ＬＥＤを戴置したヒートシンクやそれに備えられた放熱フィンを経由して斜め下方または横に排気する構成を採って、ＬＥＤによる発熱を放熱している。
【先行技術文献】
【特許文献】
【０００４】
【特許文献１】特許第４８４４６９８号公報
【発明の概要】
【発明が解決しようとする課題】
【０００５】
しかしながら、部屋全体で均一な照明が得られやすいシーリングライトなどの天井直付けタイプの大きな照明装置に特許文献１記載のＬＥＤ電球を用いると、ＬＥＤによる発熱を放熱する送風装置の冷却ファンも大型化してしまい、特に冷却ファンの軸方向の厚みを大きくしなければならないという課題がある。さらに、大型の冷却ファンではそれ自体のファンモータの発熱も大きくなってしまうという課題がある。
【０００６】
また、大型のファンモータから発生する熱がＬＥＤの特性に悪影響を与えてしまうともに、ファンモータに使用している軸受などの寿命が短くなりＬＥＤは長寿命であるという折角のメリットを帳消しにしてしまうという課題もある。
【０００７】
さらに、照明装置の大きさゆえ照明装置に取り付けられるＬＥＤの個数も多くなり、その発熱量も多くなる。そのために、照明装置内の放熱を十分に行なえないとＬＥＤやファンモータに与える影響はさらに大きくなるという課題もある。
【０００８】
本発明の目的は、複数の送風装置とその各々を仕切る仕切板を設け、その仕切板は複数の送風装置の各々が排気する空間を互いに仕切ることで、送風装置のファン発熱を低減させるとともに送風装置の放熱効果を高めることができ、ＬＥＤ特性の向上及び送風装置のファン寿命の向上を図ることのできる照明装置及び照明装置用送風ユニットを提供することである。
【課題を解決するための手段】
【０００９】
本発明の照明装置は、ＬＥＤと、ＬＥＤの熱を放熱するヒートシンクと、ヒートシンクに設けられた複数の送風装置と、ヒートシンクに設けられ、複数の送風装置を互いに仕切る第１の仕切板とを備え、複数の送風装置の各々の排気口が、第１の仕切板で仕切られた各々の空間に設けられた構成とする。
【００１０】
本発明の照明装置用送風ユニットは、ＬＥＤの熱を放熱するヒートシンクと、ヒートシンクに設けられた複数の送風装置と、ヒートシンクに設けられ、複数の送風装置を互いに仕切る第１の仕切板とを備え、複数の送風装置の各々の排気口が、第１の仕切板で仕切られた各々の空間に設けられた構成とする。
【発明の効果】
【００１１】
本発明によれば、複数の送風装置とその各々を仕切る仕切板を設け、その仕切板は複数の送風装置の各々が排気する空間を互いに仕切ることで、送風装置の数を複数個にすることで送風装置を小型化することができるので送風装置のファン発熱を低減させることができるとともに空気の流れを効果的に行なうことができ、送風装置の群として効果的な風の流れを備えることができるので送風装置の放熱を高めることができる。さらに照明装置内の温度上昇を防ぐことができるのでＬＥＤ特性の向上及び送風装置のファン寿命の向上も図ることができる。
【図面の簡単な説明】
【００１２】
【図１】本発明の実施の形態１に係る照明装置の外観図
【図２】本発明の実施の形態１に係る照明装置の斜視図
【図３】本発明の実施の形態１に係る照明装置の分解斜視図
【図４】本発明の実施の形態１に係る照明装置の分解斜視図
【図５】本発明の実施の形態１に係る照明装置のヒートシンクの詳細な構成を示す斜視図
【図６】本発明の実施の形態１に係る照明装置のヒートシンクの詳細な構成を示す斜視図
【図７】本発明の実施の形態１に係る照明装置のヒートシンクの詳細な構成を示す上面図
【図８】本発明の実施の形態１に係る照明装置の風の流れを説明する断面図
【図９】本発明の実施の形態２に係る照明装置のヒートシンクの詳細な構成を示す斜視図
【図１０】本発明の実施の形態２に係る照明装置のヒートシンクの詳細な構成を示す斜視図
【発明を実施するための形態】
【００１３】
請求項１に記載の発明は、ＬＥＤと、ＬＥＤの熱を放熱するヒートシンクと、ヒートシンクに設けられた複数の送風装置と、ヒートシンクに設けられ、複数の送風装置を互いに仕切る第１の仕切板とを備え、複数の送風装置の各々の排気口が、第１の仕切板で仕切られた各々の空間に設けられたことを特徴とする照明装置であって、複数の送風装置とその各々を仕切る仕切板を設け、その仕切板は複数の送風装置の各々が排気する空間を互いに仕切ることで、送風装置の数を複数個にすることで送風装置を小型化することができるので送風装置のファン発熱を低減させることができるとともに空気の流れを効果的に行なうことができ、送風装置の群として効果的な風の流れを備えることができるので送風装置の放熱を高めることができる。さらに照明装置内の温度上昇を防ぐことができるのでＬＥＤ特性の向上及び送風装置のファン寿命の向上も図ることができる。
【００１４】
請求項２に記載の発明は、前記複数の送風装置の吸気部と排気部とを仕切る第２の仕切板を設けたことを特徴とする請求項１に記載の照明装置であって、複数の送風装置の吸気側と排気側とを仕切る第２の仕切板を設けので、送風装置がスムーズに吸気でき、空気の流れを良好に行なうことができ、送風装置の放熱を高めることができる。
【００１５】
請求項３に記載の発明は、前記第２の仕切板は、前記ヒートシンクの外側端を、排気部と吸気部に仕切ることを特徴とする請求項２記載の照明装置であって、２つの仕切板で吸気する空間と排気する空間を分離して構成することで、照明装置の大きさを大きくせずにＬＥＤを搭載したヒートシンクの放熱フィンを吸気側にも設けることができ、冷たい外気で直ちに放熱板を冷却することができる。それにより、送風装置の放熱を高めることができる。
【００１６】
請求項４に記載の発明は、前記吸気部に設けた放熱フィンの高さの最大値をＨ１、前記排気部に設けた放熱フィンの高さの最大値をＨ２、前記送風装置の高さの最大値をＨ３としたとき、Ｈ１＞Ｈ３≧Ｈ２であることを特徴とする請求項３記載の照明装置であって、吸気側である第１の空間に設けられた放熱フィンの高さを大きくしたので冷たい外気を最初に受ける吸気側の放熱フィンの放熱面積を大きくさせることができるとともに送風装置への流路が十分に取れて送風装置へ空気をスムーズに流すことができる。それにより、送風装置の放熱を高めることができる。
【００１７】
請求項５に記載の発明は、送風装置の数が３個以上であって、第１の仕切板で囲まれた空間を設けたことを特徴とする請求項１記載の照明装置であって、第１の仕切板で囲まれた空間を設けることで、第１の仕切板が送風装置の外周の一部に沿うように構成させることができるので、仕切板の側壁に沿って抵抗無く滑らかに空気を流すことができる。それにより、送風装置の放熱を高めることができる。さらに、ヒートシンク内に空間が設けられることでヒートシンクを軽量させることができ、かつ照明装置を軽量化させることができる。
【００１８】
請求項６に記載の発明は、複数の送風装置はそれぞれ同一形状の送風装置でありかつ略同一平面上に設けられたことを特徴とする請求項１に記載の照明装置であって、複数の送風装置はそれぞれ同一にしかつ略同一平面上に設けたので、風の抵抗となるものが少なく照明装置内の風の流れをスムーズにでき送風装置の放熱効果を高めることができるとともに、照明装置の大きさをコンパクトに構成させることができる。
【００１９】
請求項７に記載の発明は、ＬＥＤの熱を放熱するヒートシンクと、ヒートシンクに設けられた複数の送風装置と、ヒートシンクに設けられ、複数の送風装置を互いに仕切る第１の仕切板とを備え、複数の送風装置の各々の排気口が第１の仕切板で仕切られた各々の空間に設けられたことを特徴とする照明装置用送風ユニットであって、複数の送風装置とその各々を仕切る仕切板を設け、その仕切板は複数の送風装置の各々が排気する空間を互いに仕切ることで、送風装置の数を複数個にすることで送風装置を小型化することができるので送風装置のファン発熱を低減させることができるとともに空気の流れを効果的に行なうことができ、送風装置の放熱を高めることができる。さらに照明装置内の温度上昇を防ぐことができるのでＬＥＤ特性の向上及び送風装置のファン寿命の向上を図ることができる。
【実施例】
【００２０】
以下、本発明の実施の形態について、図面を参照して詳細に説明する。なお、以下に述べる実施例は、本発明の好適な具体例であり、技術的に良好な条件の限定が記載されているが、本発明の範囲は、以下の説明において特に本発明を限定する記載がない限り、これらの条件に限られるものではない。
【００２１】
（実施の形態１）
図１は本発明の実施の形態１に係る照明装置の外観図、図２は本発明の実施の形態１に係る照明装置の斜視図、図３は本発明の実施の形態１に係る照明装置の分解斜視図で上方から見たもの、図４は本発明の実施の形態１に係る照明装置の分解斜視図で下方から見たものである。
【００２２】
本実施の形態は、吸気口の一部と排気口とがＬＥＤランプの周方向に並んで吸排気するＬＥＤランプに適用した例である。
【００２３】
図１乃至図４に示すように、ＬＥＤランプ１００は、スリット状に形成された開口部１１０ａを有するケース１１０と、ＬＥＤ１２１を実装したＬＥＤ基板１２０と、ＬＥＤ１２１の発熱を冷却するヒートシンク１３０と、ヒートシンク１３０に向かって送風する送風装置群１４０とを備える。
【００２４】
また、ＬＥＤランプ１００は、ＬＥＤ基板１２０及び送風装置群１４０に電源を供給する電源基板１５０と、ＬＥＤ基板１２０の下方に取り付けられ、ＬＥＤ１２１からの光を拡散するレンズ１６１と集光するリフレクタ１６２を有する照射部１６０とを備える。
【００２５】
上述したＬＥＤ基板１２０、ヒートシンク１３０、送風装置群１４０、電源基板１５０、及び照射部１６０は、上下方向に組み合わされ、ケース１１０とねじ（図示略す）などにより組み合わされる。
【００２６】
ケース１１０は、放熱性が良好な部材、例えばアルミ合金等からなる。なお、必ずしも放熱性が必要であるわけではなく、風路を形成すればよいので、材料は樹脂であっても何でも良い。ケース１１０は、略円筒形であり、その一端側は開口しており、上述したＬＥＤ基板１２０、ヒートシンク１３０、送風装置群１４０、及び電源基板１５０を納める。また、ケース１１０は、外部から電源基板１５０へ電源を供給するケーブル１１２を備える。
【００２７】
さらに、ケース１１０の側面には送風装置群１４０の吸排気に使用するスリット状に形成された開口部１１０ａが周一面に形成されている。なお、開口部１１０ａの形状はスリットに限定されるわけではないが、ケース１１０の構造強度を考慮するとスリットがよい。また、開口部１１０ａの形成はケース１１０の周の一面に行なうことに限定されるわけではなく、仕様に応じた間隔で形成すればよい。
【００２８】
ＬＥＤ基板１２０は、ＬＥＤ１２１を実装し、ヒートシンク１３０に接して設けられる。ＬＥＤ基板１２０は、例えば放熱性が良好なアルミニウムなどの金属材料と絶縁材料などにより形成されたメタルベース基板である。ＬＥＤ基板１２０は、ヒートシンク１３０に接触して放熱されている。
【００２９】
ヒートシンク１３０は、ケース１１０の外周部に同径で取り付けられ、ＬＥＤ基板１２０に接触してＬＥＤ１２１を冷却する。ヒートシンク１３０は、ＬＥＤ基板１２０に接触してＬＥＤ１２１の発熱を冷却する基本機能に加え、ヒートシンク１３０には送風装置群１４０が配置され、開口部１１０ａを介して送風装置群１４０へ外気を吸気し、ヒートシンク１３０を経由して外部へ排気する。
【００３０】
ヒートシンク１３０は、放熱作用を向上させるために多数の板状の放熱フィン１３０ａを備えている。放熱フィン１３０ａを多く形成するほど、ヒートシンク１３０の放熱効果を高めることができる。なお、ヒートシンク１３０の詳細については図５乃至図８により後述する。
【００３１】
送風装置群１４０は、３個の送風装置から構成されており、ヒートシンク１３０を経由する空気の流れを起こすことで、ヒートシンク１３０を冷却する。本実施の形態では、ヒートシンク１３０に略同一平面上に載置された送風装置群１４０がヒートシンク１３０に向かって送風する。そして、送風装置群１４０の互いの送風装置の間には送風装置のそれぞれの形状に沿って湾曲した衝立状の第１の仕切板である仕切板１３５が取り付けられている。すなわち、送風装置群１４０のそれぞれの送風装置の回転羽根の外周に沿って仕切板１３５の一部が形成されている。
【００３２】
なお、仕切板１３５はヒートシンク１３０と一体的に構成してもよく、ヒートシンク１３０の一部であるので熱伝導が良く、放熱効果を向上させることができる。また、仕切板１３５はＬＥＤランプ１００内の送風経路の一部の壁として使用されて、空気の流れをスムーズにする役目も果たしている。
【００３３】
本実施の形態では送風装置群１４０の送風装置の数を３個としているが、複数個あればよく、特に２個あるいは３個が送風装置群１４０としての冷却性能、騒音及び寿命のバランスがよい。
【００３４】
また、送風装置群１４０の送風装置は遠心タイプで図示されているが、軸流ファン（プロペラファン）であってもよく、どちらのタイプでも良い。遠心タイプのほうが狭い空間の中など風路抵抗の大きな系を効果的に吸気送風することができる。
【００３５】
また、ヒートシンク１３０の上部には吸気側と排気側とを分離し空気の流れを整え送風効率を高める第２の仕切板であるカバー１３６が取り付けられている。すなわち、カバー１３６を設けることで、ＬＥＤランプ１００内に送風装置１４０ａ、１４０ｂ、１４０ｃ各々の吸気部である第１の空間と排気部である第２の空間とを分離形成させる。吸気部は、送風装置１４０ａ、１４０ｂ、１４０ｃが吸気する空気の風路となる。排気部は、送風装置１４０ａ、１４０ｂ、１４０ｃが排気する空気の風路となる。
【００３６】
このカバー１３６を取り付けることで送風装置１４０ａ、１４０ｂ、１４０ｃ各々の排気経路を構成する。すなわち、カバー１３６をヒートシンク１３０上の一部に覆い被せることで送風装置１４０ａ、１４０ｂ、１４０ｃ各々の排気経路がヒートシンク１３０の放熱フィン１３０ａ内を通過するように形成される。それにより、風の流れをスムーズに流させることができるとともに、送風装置１４０ａ、１４０ｂ、１４０ｃ各々からの風速の速い風を利用でき、ヒートシンク１３０からの放熱を向上させることができる。
【００３７】
なお、カバー１３６は送風装置の吸込口を避けて取り付けられており金属製あるいは樹脂製で一体ものになっているが、一体ものに限定されるわけではない。例えば、３個に分割されていてもよい。また、カバー１３６は仕切板１３５あるいは放熱フィン１３０ａと一体成形されていてもよい。
【００３８】
より詳細には、送風装置群１４０の送風装置は、ヒートシンク１３０に対向する排気面と反対側の面に設けられた吸気面とを有し、開口部１１０ａを介して吸気した外気を、排気面からヒートシンク１３０に向かって送風する。送風装置群１４０及び仕切板１３５の詳細については図５乃至図８により後述する。
【００３９】
なお、送風装置群１４０の３個の送風装置は同種同形のものを使用するとよい。ＬＥＤランプ１００の高さ方向で段差の不揃えが無くＬＥＤランプ１００内に対称的に配置できるので、風の抵抗となるものが少なくＬＥＤランプ１００内の風の流れをスムーズにでき送風装置群１４０の放熱効果を高めることができるとともに、ＬＥＤランプ１００の大きさをコンパクトに構成させることができる。
【００４０】
電源基板１５０は、ＬＥＤ基板１２０及び送風装置群１４０にコネクタ（図示略す）を介して直流電源を供給する。
【００４１】
照射部１６０は、ヒートシンク１３０の下方に、ヒートシンク１３０の外周部と略同径で取り付けられる。照射部１６０は、光拡散性を有するガラスあるいは合成樹脂などにより扁平な球面状のレンズ１６１と光反射性を有する金属あるいは合成樹脂などにより略Ｌ字状で環状のリフレクタ１６２とを有する。レンズ１６１は、おおよそ点光源であるＬＥＤ１２１の発光面を覆ってＬＥＤ１２１からの光を拡散し、リフレクタ１６２は、レンズ１６１で拡散した光を有効利用するように集光する。
【００４２】
次に、ヒートシンク１３０、仕切板１３５、カバー１３６及び送風装置群１４０について詳細に説明する。
【００４３】
図５及び図６は、ヒートシンク１３０、送風装置群１４０及び仕切板１３５の詳細な構成を示す図である。図５は本発明の実施の形態１に係る照明装置のヒートシンクの詳細な構成を示す斜視図、図６は本発明の実施の形態１に係る照明装置のヒートシンクの詳細な構成を示す斜視図で、図５から板金カバーと１個の送風装置のみを取り外したものである。
【００４４】
なお、図３乃至図６において送風装置群１４０の送風装置のファンブレードの形状は遠心タイプで図示されているが、軸流ファン（プロペラファン）であってもよく、どちらのタイプでも良い。遠心タイプのほうが狭い空間の中など風路抵抗の大きな系を効果的に吸気送風することができる。
【００４５】
図５及び図６に示すように、ヒートシンク１３０及び送風装置群１４０の各送風装置は、上面から見て共に円形形状であり、３個の送風装置１４０ａ、１４０ｂ、１４０ｃはヒートシンク１３０の中心を重心とした正三角形の各頂点に３個の送風装置１４０ａ、１４０ｂ、１４０ｃの中心を置く。この時、３個の送風装置１４０ａ、１４０ｂ、１４０ｃを設置するために予めヒートシンク１３０には保持空間を作っておく。
【００４６】
３個の送風装置１４０ａ、１４０ｂ、１４０ｃを分離する仕切板１３５がヒートシンク１３０に設置されている（図６の一点鎖線で示されている部分に相当）。この仕切板１３５は３個の送風装置１４０ａ、１４０ｂ、１４０ｃが排気する空気の風路の壁の一部を構成する役目も果たしており、送風装置１４０ａ、１４０ｂ、１４０ｃからの送風を滑らかに行なうことができ、ヒートシンク１３０を効率的に冷却することができる。さらに、送風が滑らかに行なわれるので騒音の発生を抑えることができる。また、３個の送風装置１４０ａ、１４０ｂ、１４０ｃのそれぞれの排気方向も、仕切板１３５によって仕切られている。すなわち、ＬＥＤランプ１００の外部に排気されるまで、３個の送風装置１４０ａ、１４０ｂ、１４０ｃそれぞれの排気は交じり合わない。
【００４７】
また、３個の送風装置１４０ａ、１４０ｂ、１４０ｃの吸込口を避けて一体的に取り付けられているカバー１３６は仕切板１３５とともに３個の送風装置１４０ａ、１４０ｂ、１４０ｃの吸気部と排気部とを分離し、吸気側の風路と排気側の風路を明確に分離する。これにより、冷たい外気を吸気し、ヒートシンク１３０を冷却し、分離された排気経路を経て、スムーズに空気を流すことができ、送風装置群１４０の冷却性能をさらに向上させることができ、騒音の発生を抑えることもできる。
【００４８】
また、ヒートシンク１３０には多数の放熱フィン１３０ａが設けてあり、吸気口１３１側のヒートシンク１３０には、大きい（ここでは背の高い）放熱フィン１３０ａを形成し、排気口１３２側のヒートシンク１３０には、小さい（ここでは背の低い）放熱フィン１３０ａを形成する。
【００４９】
すなわち、吸気口１３１に設けられた放熱フィン１３０ａの最大高さをＨ１とし、排気口１３２に設けられた放熱フィン１３０ａの最大高さをＨ２とし、各送風装置１４０ａ、１４０ｂ、１４０ｃの軸方向の最大高さ（送風装置の厚み）をＨ３とした場合、Ｈ１＞Ｈ３≧Ｈ２になるように各々の放熱フィン１３０ａを形成する。
【００５０】
こうすることで、冷たい外気を吸気し最初に触れる吸気口１３１にある放熱フィン１３０ａの放熱面積を大きくすることができ、ヒートシンク１３０の冷却を向上させることができる。さらに、吸気部である吸気口１３１にある放熱フィン１３０ａの高さ（Ｈ１）を排気部である排気口１３２にある放熱フィン１３０ａの高さ（Ｈ２）や送風装置１４０ａ、１４０ｂ、１４０ｃの高さ（Ｈ３）より高くしているので、その上部から空気を吸い込む構成を採っている送風装置１４０ａ、１４０ｂ、１４０ｃへの風路を十分に確保でき、スムーズな空気の流れを作り出すことができ、ヒートシンク１３０の冷却をさらに向上させることができる。
【００５１】
また、排気口１３２にある放熱フィン１３０ａを小さく（背を低く）形成しているので、放熱フィン１３０ａが邪魔せず排気口１３２から排気される風の風速が落ちにくい。そのために送風装置群１４０の送風性能は低下せず、ヒートシンク１３０の冷却をさらに向上させることができる。
【００５２】
以下、上述のように構成された照明装置の風の流れについて説明する。
【００５３】
図７及び図８は、本発明の実施の形態における照明装置の風の流れを説明する図である。図７は本発明の実施の形態１に係る照明装置のヒートシンクの詳細な構成を示す上面図、図８は本発明の実施の形態１に係る照明装置の風の流れを説明する断面図である。図７においては一個の送風装置を取り外して記載している。図７及び図８中、矢印は、風の流れを示す。
【００５４】
図７及び図８に示すように、送風装置１４０ａ、１４０ｂ、１４０ｃが動作すると、外気はＬＥＤランプ１００の側面にある開口部１１０ａ（図１参照）を通過し吸気口１３１から吸気され、ヒートシンク１３０上に設けられた背の高い放熱フィン１３０ａを通過し、カバー１３６の上面に沿って各送風装置１４０ａ、１４０ｂ、１４０ｃの上部に達する。そして、風は送風装置上部の吸込口から各送風装置１４０ａ、１４０ｂ、１４０ｃ内部に引き込まれ吐き出され、ヒートシンク１３０上に設けられた背の低い放熱フィン１３０ａを通過し、排気口１３２そして開口部１１０ａ（図１参照）から排出される。
【００５５】
なお、図７以降の図に記載されている白い太矢印は吸気の位置と方向を表し、黒い太矢印は排気の位置と方向を表している。
【００５６】
ここで、外部から空気を吸気するとき、カバー１３６がある面より上ではＬＥＤランプ１００の全周より吸気することができる。すなわち、本実施の形態では吸気する箇所が全周より吸気する箇所（図８のＣの場合）と吸気する箇所が周方向で限定されている箇所（図８のＤの場合）の両方を採り入れているので、冷たい外気を多量に吸い込むことができ、ヒートシンク１３０の放熱を良好に行なうことができる。
【００５７】
ここで、送風装置１４０ａ、１４０ｂ、１４０ｃ（図示していない）から排気口１３２へ空気が排出されるときに、送風装置１４０ａ、１４０ｂ、１４０ｃの各々を分離する仕切板１３５によって送風装置１４０ａ、１４０ｂ、１４０ｃの空気の流れが互いに干渉するのを防止させることができる。
【００５８】
これにより、送風装置１４０ａ、１４０ｂ、１４０ｃによる空気の風路のひとつとしては、外気は仕切板１３５の壁に沿ってスムーズに吸気され（例えば図７のＡ）、送風装置１４０ａ、１４０ｂ、１４０ｃから排出される空気は仕切板１３５の壁に沿ってスムーズに流れ（例えば図７のＢ）、各々の送風装置１４０ａ、１４０ｂ、１４０ｃの送風性能は低下せず、そして送風装置群１４０として効果的な風の流れを備えることでヒートシンク１３０を十分に放熱冷却させることができる。
【００５９】
また、ヒートシンク１３０及び送風装置１４０ａ、１４０ｂ、１４０ｃの上部には吸気側と排気側とを分離し空気の流れを整え送風効率を高めるカバー１３６が取り付けられているので、送風装置１４０ａ、１４０ｂ、１４０ｃはその上部にある吸入口よりスムーズに空気を吸い込むことができ、送風装置の放熱を高めることができる。
【００６０】
さらに、仕切板１３５とカバー１３６を用いてＬＥＤランプ１００内の風路を吸気する空間と排気する空間に分離して構成することができるので、ＬＥＤランプ１００の大きさを大きくせずにＬＥＤ基板１２０を搭載したヒートシンク１３０の吸気側に設けられた放熱フィン１３０ａを冷たい外気で効率よく直ちに放熱板を冷却することができる。それにより、送風装置の放熱を高めることができる。
【００６１】
また、送風装置１４０ａ、１４０ｂ、１４０ｃの各々で囲まれた領域（図５、図６及び図７の領域Ｚ）が作られるように仕切板１３５の一方の側面の形状を送風装置１４０ａ、１４０ｂ、１４０ｃのそれぞれの外周の一部に沿った構成にする。すなわち、仕切板１３５で囲まれた空間（領域Ｚ）が形成されるように仕切板１３５の一方の側面の形状を送風装置１４０ａ、１４０ｂ、１４０ｃのそれぞれの外周の一部に沿った湾曲した構成にする。
【００６２】
すなわち、送風装置１４０ａ、１４０ｂ、１４０ｃの各々で囲まれた領域を設けることで、仕切板１３５が送風装置１４０ａ、１４０ｂ、１４０ｃのそれぞれの外周の一部に沿うように構成させることができるので、仕切板１３５の側壁に沿って抵抗無く滑らかに空気を流すことができる。それにより、送風装置１４０ａ、１４０ｂ、１４０ｃの放熱を高めることができる。
【００６３】
一方、例えば仕切板１３５が直線状の３枚の平板の組み合わせである（明らかな領域Ｚが存在しない）と、送風装置１４０ａ、１４０ｂ、１４０ｃの各々で囲まれた領域ができず、空気は吸気口１３１、風路の広い部分、風路の狭い部分、風路の広い部分、そして排気口１３２へと流れる。このような場合では空気がスムーズに流れないので、送風装置１４０ａ、１４０ｂ、１４０ｃの放熱を高めることができないし、流れる空気が乱れるので騒音の発生の要因となりやすいという弊害がある。
【００６４】
なお、送風装置１４０ａ、１４０ｂ、１４０ｃの各々で囲まれた領域は図５、図６及び図７に示すように中心部が中空であるが、それに限らず中空でなくてもよい。しかし、中空のほうがヒートシンク１３０の重量を軽減することができ、それによりＬＥＤランプ１００本体も軽量化させることができる。
【００６５】
以上詳細に説明したように、本実施の形態のＬＥＤランプ１００は、ＬＥＤ１２１と、ＬＥＤ１２１の熱を放熱するヒートシンク１３０と、ヒートシンク１３０に設けられた３個の送風装置１４０ａ、１４０ｂ、１４０ｃと、ヒートシンク１３０に設けられ３個の送風装置１４０ａ、１４０ｂ、１４０ｃを互いに仕切る仕切板１３５とを備える。そして、仕切板１３５は３個の送風装置１４０ａ、１４０ｂ、１４０ｃの各々が排気する経路の少なくとも一部を構成する。
【００６６】
また、本実施の形態のＬＥＤランプ用送風ユニットは、ＬＥＤ１２１の熱を放熱するヒートシンク１３０と、ヒートシンク１３０に設けられた３個の送風装置１４０ａ、１４０ｂ、１４０ｃと、ヒートシンク１３０に設けられ３個の送風装置１４０ａ、１４０ｂ、１４０ｃを互いに仕切る仕切板１３５とを備える。そして、仕切板１３５は３個の送風装置１４０ａ、１４０ｂ、１４０ｃの各々が排気する経路の少なくとも一部を構成する。
【００６７】
このように構成することで、すなわち３個の送風装置１４０ａ、１４０ｂ、１４０ｃとその各々を仕切る仕切板１３５を設け、その仕切板１３５は３個の送風装置１４０ａ、１４０ｂ、１４０ｃの各々が排気する空間を互いに仕切ることで、３個の送風装置１４０ａ、１４０ｂ、１４０ｃのファン発熱を低減させることができるとともに空気の流れを効果的に行なうことができ、そして送風装置群１４０として効果的な風の流れを備えることで送風装置の放熱を高めることができる。さらに照明装置内の温度上昇を防ぐことができるのでＬＥＤ特性の向上及び送風装置のファン寿命の向上を図ることができる。
【００６８】
われわれが鋭意試験検討した結果、ＬＥＤランプ１００の外径がφ１８０ｍｍで同一騒音値になる条件下で、大径遠心ファン１個で構成した時のヒートシンク１３０の温度は８０℃程度になったが、外径φ６０ｍｍ遠心ファン３個で構成した時のヒートシンク１３０の温度は６８℃程度に抑えることができた。
【００６９】
なお、ＬＥＤランプ１００の外径はφ１３０ｍｍからφ２００ｍｍ程度であり、ＬＥＤランプ１００の外径がφ１８０ｍｍの場合には遠心ファンの外径はφ４５ｍｍからφ６５ｍｍ程度の範囲内にある。
【００７０】
また、大径遠心ファンの厚みは２５ｍｍ程度必要であるが、外径φ６０ｍｍ遠心ファンでは厚みを１９ｍｍ程度に抑えることができ、装置の小型化を図ることができる。
【００７１】
このように、大型のＬＥＤランプに小型のファンを複数個で構成させることで、ヒートシンク１３０の温度上昇を抑えることができるのでそれに取り付けてあるＬＥＤやファンモータの温度上昇も抑えることができる。すなわち、ＬＥＤ特性の向上及び送風装置のファン寿命の向上を図り、ＬＥＤランプ１００の装置の性能や寿命の向上を図ることができる。
【００７２】
（実施の形態２）
図９は本発明の実施の形態２に係る照明装置のヒートシンクの詳細な構成を示す斜視図、図１０は本発明の実施の形態２に係る照明装置のヒートシンクの詳細な構成を示す斜視図である。実施の形態１と重複箇所の説明は省略する。
【００７３】
本実施の形態と実施の形態１と異なる点は吸気口１３１と排気口１３２の構成に関してである。
【００７４】
図９及び図１０に示すように、ヒートシンク１３０の部分からの吸気は無く、カバー１３６より上側では全周において吸気の経路のみであり、カバー１３６より下側つまりヒートシンク１３０側では全周において排気の経路のみになっている。
【００７５】
このように、上側の全周が吸気口１３１、下側の全周が排気口１３２として分離することでＬＥＤランプ１００を設置するときに排気風の影響を防ぐことができる。例えば、天井の面で排気口１３２のある部分を上にし、吸気口１３１のある部分を下にすれば風の影響を避けることができる。
【００７６】
なお、本実施の形態では仕切板１３５やカバー１３６を備える点は実施の形態１と同じであり、同様な効果を得ることができる。
【００７７】
すなわち、送風装置１４０ａ、１４０ｂ、１４０ｃから排気口１３２へ空気が排出されるときに、送風装置１４０ａ、１４０ｂ、１４０ｃの各々を分離する仕切板１３５によって送風装置１４０ａ、１４０ｂ、１４０ｃの空気の流れが互いに干渉するのを防止することができる。
【００７８】
これにより、送風装置１４０ａ、１４０ｂ、１４０ｃによる空気の風路のひとつとしては、外気は仕切板１３５の壁に沿ってスムーズに吸気され、送風装置１４０ａ、１４０ｂ、１４０ｃから排出される空気は仕切板１３５の壁に沿ってスムーズに流れ、各送風装置１４０ａ、１４０ｂ、１４０ｃの送風性能は低下せず、ヒートシンク１３０を十分に放熱させることができる。
【００７９】
また、ヒートシンク１３０及び送風装置１４０ａ、１４０ｂ、１４０ｃの上部外周には吸気側と排気側とを分離し空気の流れを整え送風効率を高めるカバー１３６が取り付けられているので、送風装置１４０ａ、１４０ｂ、１４０ｃがその上部にある吸入口よりスムーズに空気を吸い込むことができ、各々の送風装置１４０ａ、１４０ｂ、１４０ｃの送風性能は低下せず、そして送風装置群１４０として効果的な風の流れを備えることでヒートシンク１３０を十分に放熱冷却させることができる。
【００８０】
以上の説明は本発明の好適な実施の形態の例証であり、本発明の範囲はこれに限定されることはない。
【００８１】
上記各実施の形態では、送風装置及び照明装置という名称を用いたが、これは説明の便宜上であり、送風装置等であってもよい。
【００８２】
さらに、上記送風装置及び照明装置を構成する各構成部、例えばケースの種類、基板などは前述した実施の形態に限られない。
【産業上の利用可能性】
【００８３】
本発明の照明装置及び照明装置用送風ユニットは、ＬＥＤ実装基板を冷却する送風装置を備える電球形ＬＥＤランプに用いて好適である。
【符号の説明】
【００８４】
１００    ＬＥＤランプ
１１０    ケース
１１０ａ    開口部
１２０    ＬＥＤ基板
１２１    ＬＥＤ
１３０    ヒートシンク
１３０ａ    放熱フィン
１３１    吸気口
１３２    排気口
１３５    仕切板（第１の仕切板）
１３６    カバー（第２の仕切板）
１４０    送風装置群
１４０ａ、１４０ｂ、１４０ｃ    送風装置
１５０    電源基板
１６０    照射部
１６１    レンズ
１６２    リフレクタ
【図１】
2013171695.tif 000003
【図２】
2013171695.tif 000004
【図３】
2013171695.tif 000005
【図４】
2013171695.tif 000006
【図５】
2013171695.tif 000007
【図６】
2013171695.tif 000008
【図７】
2013171695.tif 000009
【図８】
2013171695.tif 000010
【図９】
2013171695.tif 000011
【図１０】
2013171695.tif 000012